(57)【要約】      （修正有）【課題】パッケージの故障前に対処する。【解決手段】複数種類のパッケージａ，ｂ，ｃ，・・・,ｐを有する複数の外部装置２００Ａ，２００Ｂ，２００Ｃ，２００Ｄと通信可能に接続された故障予測装置１００であって、複数の外部装置が有するパッケージの交換情報を蓄積する蓄積部と、交換情報に基づいて、パッケージの故障予測を種類毎に行う故障予測部と、故障予測部が行った故障予測結果を表示部に表示させる表示制御部とを備える。また、故障予測部は、複数の外部装置が有する種類毎のパッケージ稼働日数に基づいて、各外部装置が有するパッケージの故障日数を予測する。【選択図】図１
2017182371.tif 000002
【特許請求の範囲】
【請求項１】
複数種類のパッケージを有する複数の外部装置と通信可能に接続された故障予測装置であって、
前記複数の外部装置が有するパッケージの交換情報を蓄積する蓄積部と、
前記交換情報に基づいて、パッケージの故障予測を種類毎に行う故障予測部と、
前記故障予測部が行った故障予測結果を表示部に表示させる表示制御部と
を備えることを特徴とする故障予測装置。
【請求項２】
請求項１に記載の故障予測装置であって、
前記蓄積部は、さらに、各外部装置の運用開始時期の情報を蓄積し、
前記交換情報は、種類毎のパッケージ稼働日数であり、
前記故障予測部は、前記複数の外部装置が有する種類毎のパッケージ稼働日数に基づいて、各外部装置が有するパッケージの故障日数を予測する
ことを特徴とする故障予測装置。
【請求項３】
請求項２に記載の故障予測装置であって、
前記交換情報は、前記パッケージの交換時期を含み、
前記故障予測部は、前記予測された故障日数、及び前回の交換時期に基づいて、各外部装置が有するパッケージの故障時期の予測を行う
ことを特徴とする故障予測装置。
【請求項４】
請求項３に記載の故障予測装置であって、
表示部に表示させる表示制御部をさらに備え、
前記表示制御部は、前記予測された故障時期、又は該故障時期に基づいた危険度を前記表示部に表示させる
ことを特徴とする故障予測装置。
【請求項５】
請求項２に記載の故障予測装置であって、
故障予測部は、交換までの稼働平均日数、最小稼働日数、及び最大稼働日数に基づいて、危険度に応じた複数の故障日数を演算する
ことを特徴とする故障予測装置。
【請求項６】
複数種類のパッケージを有する複数の外部装置と通信可能に接続された故障予測装置が実行する故障予測方法であって、
前記複数の外部装置が有するパッケージの交換情報を蓄積する蓄積ステップと、
前記交換情報に基づいて、パッケージの故障予測を種類毎に行う故障予測ステップと、
前記故障予測ステップで予測した故障予測結果を表示部に表示させる表示制御ステップと
を備えることを特徴とする故障予測方法。
【請求項７】
複数種類のパッケージを有する複数の外部装置と通信可能に接続された故障予測装置としてのコンピュータに実行させるための故障予測プログラムであって、
前記複数の外部装置が有するパッケージの交換情報を蓄積する蓄積手順と、
前記交換情報に基づいて、パッケージの故障予測を種類毎に行う故障予測手順と、
前記故障予測手順で行った故障予測結果を表示部に表示させる表示制御手順と
を実行させるための故障予測プログラム。
【発明の詳細な説明】
【技術分野】
【０００１】
本発明は、故障予測装置、故障予測方法、及び故障予測プログラムに関する。
【背景技術】
【０００２】
以前から、複数の装置（通信設備等の外部装置）の故障を監視する監視システムが存在していた。以前の監視システムは、ネットワークに接続された複数の装置の状態を監視し、何れかの装置に異常が発生した際、その異常情報をオペレータに通知していた。
【０００３】
例えば、特許文献１は、警報により報知される内容である警報内容が監視対象装置に発生したことを示す警報情報を取得する情報取得部と、警報情報を警報履歴記憶部に記憶させる警報管理部とを備えた監視システムを開示している。
【先行技術文献】
【特許文献】
【０００４】
【特許文献１】特開２０１１−１７０４５９号公報
【発明の概要】
【発明が解決しようとする課題】
【０００５】
特許文献１が開示する監視システムは、監視対象装置に発生した異常を検知し、その旨をオペレータに通知するように構成されている。しかしながら、該監視システムは、監視対象装置が複数のパッケージ（ＰＫＧ）で構成されていることを前提としていない。このため、該監視システムは、装置が有するパッケージの故障頻度を考慮した故障予測をオペレータに通知する手段や、検知した異常に故障頻度を結びつける手段を有していない。このため、監視対象装置を監視する監視者（オペレータ）は、パッケージ等の品質を正確に把握できず、故障前にパッケージを取り替える等の適切な対応を取ることができなかった。
【０００６】
本発明は、このような問題点を解決するためになされたものであり、パッケージの故障前に対処することができる故障予測装置、故障予測方法、及び故障予測プログラムを提供することを目的とする。
【課題を解決するための手段】
【０００７】
請求項１に係る発明は、複数種類のパッケージを有する複数の外部装置と通信可能に接続された故障予測装置であって、前記複数の外部装置が有するパッケージの交換情報を蓄積する蓄積部と、前記交換情報に基づいて、パッケージの故障予測を種類毎に行う故障予測部と、前記故障予測部が行った故障予測結果を表示部に表示させる表示制御部とを備えることを特徴とする。
【０００８】
請求項１に係る発明によれば、パッケージの交換情報（例えば、交換期間）を種類毎に取得し、取得した交換情報を用いて予測した故障予測結果が表示部に表示される。このため、監視者（オペレータ）は、装置が故障する前にパッケージの交換等の対処をすることができる。
【０００９】
請求項２に係る発明は、請求項１に記載の故障予測装置であって、前記蓄積部は、さらに、各外部装置の運用開始時期の情報を蓄積し、前記交換情報は、種類毎のパッケージ稼働日数であり、前記故障予測部は、前記複数の外部装置が有する種類毎のパッケージ稼働日数に基づいて、各外部装置が有するパッケージの故障日数を予測することを特徴とする。
【００１０】
請求項２に係る発明によれば、例えば、故障により交換したパッケージの稼働日数を種類毎に平均することにより、パッケージの故障日数（予測故障日数）を種類毎に予測することができる。
【００１１】
請求項３に係る発明は、請求項２に記載の故障予測装置であって、前記交換情報は、前記パッケージの交換時期を含み、前記故障予測部は、前記予測された故障日数、及び前回の交換時期に基づいて、各外部装置が有するパッケージの故障時期の予測を行うことを特徴とする。
【００１２】
請求項３に係る発明によれば、前回の交換時期に予測された故障日数を加算することにより、故障時期の予測を行うことができる。
【００１３】
請求項４に係る発明は、請求項３に記載の故障予測装置であって、表示部に表示させる表示制御部をさらに備え、前記表示制御部は、前記予測された故障時期、又は該故障時期に基づいた危険度を前記表示部に表示させることを特徴とする。
【００１４】
請求項４に係る発明によれば、予測された故障時期を表示部に表示したり、予測された故障時期と表示日との関係に応じて、例えば、高、中、低に分類した危険度として表示したりすることができる。
【００１５】
請求項５に係る発明は、請求項２に記載の故障予測装置であって、故障予測部は、交換までの稼働平均日数、最小稼働日数、及び最大稼働日数に基づいて、危険度に応じた複数の故障日数を演算することを特徴とする。
【００１６】
請求項５に係る発明によれば、例えば、パッケージの種類毎に稼働平均日数、最小稼働日数、及び最大稼働日数を演算し、最小稼働日数を危険度［低］に設定し、稼働平均日数を危険度［中］に設定し、最大稼働日数を危険度［高］に設定し、これらの日数を危険度に応じた故障日数とすることができる。
【００１７】
請求項６に係る発明は、複数種類のパッケージを有する複数の外部装置と通信可能に接続された故障予測装置が実行する故障予測方法であって、前記複数の外部装置が有するパッケージの交換情報を蓄積する蓄積ステップと、前記交換情報に基づいて、パッケージの故障予測を種類毎に行う故障予測ステップと、前記故障予測ステップで予測した故障予測結果を表示部に表示させる表示制御ステップとを備えることを特徴とする。
【００１８】
請求項６に係る発明によれば、パッケージの交換情報（例えば、交換期間）を種類毎に平均し、その平均値により、予測された故障予測結果を表示部に表示するので、故障前に交換等の対処をすることができる。
【００１９】
請求項７に係る発明は、複数種類のパッケージを有する複数の外部装置と通信可能に接続された故障予測装置のコンピュータに実行させる故障予測プログラムであって、前記複数の外部装置が有するパッケージの交換情報を蓄積する蓄積部と、前記交換情報に基づいて、パッケージの故障予測を種類毎に行う故障予測部と、前記故障予測部が行った故障予測結果を表示部に表示させる表示制御部とに機能させることを特徴とする。
【００２０】
請求項７に係る発明によれば、パッケージの交換情報（例えば、交換期間）を種類毎に平均し、その平均値により、予測された故障予測結果を表示部に表示させるので、故障前に交換等の対処をすることができる。
【発明の効果】
【００２１】
本発明によれば、パッケージの故障前に対処することができる。
【図面の簡単な説明】
【００２２】
【図１】本発明の第１実施形態である故障予測システムの概要を示す図である。
【図２】本発明の第１実施形態である故障予測システムの全体構成図である。
【図３】運用情報の例を示す図である。
【図４】予測元情報の例を示す図である。
【図５】予測情報の例を示す図である。
【図６】本発明の第１実施形態である故障予測システムの全体動作を示すフローチャートである。
【図７】故障警報を受信したときのフローチャートである。
【図８】本発明の比較例である警報システムの概要を示す図である。
【発明を実施するための形態】
【００２３】
以下、図面を参照して、本発明の実施の形態（以下、「本実施形態」と称する）につき詳細に説明する。なお、各図は、本発明を十分に理解できる程度に、概略的に示してあるに過ぎない。また、各図において、共通する構成要素や同様な構成要素については、同一の符号を付し、それらの重複する説明を省略する。
【００２４】
（第１実施形態）
図１は、本発明の第１実施形態である故障予測システムの概要を示す図である。
故障予測システム１は、故障予測装置１００（１００ａ）と、複数の装置２００Ａ、２００Ｂ，２００Ｃ，２００Ｄとがネットワーク（ＮＥＴＷＯＲＫ）を介して通信可能に接続されている。また、故障予測システム１は、故障予測装置１００と汎用モニタである警報／故障予測表示部１５０とが接続されている。警報／故障予測表示部１５０は、複数の装置２００Ａ，２００Ｂ，２００Ｃ，２００Ｄの何れかが故障したときに警報画面１６０を表示し、他の装置が故障する前に故障予測画面１７０を表示するが、詳細は後記する。なお、図１の故障予測システム１は、装置２００Ａと、装置２００Ｂ，２００Ｃが並列接続されたものと、装置２００Ｄとが直列接続されているが、接続関係は問わない。
【００２５】
装置２００Ａ，２００Ｂ，２００Ｃ，２００Ｄは、複数種類のパッケージ（ａ−ＰＫＧ、ｂ−ＰＫＧ、ｃ−ＰＫＧ、・・・、ｐ−ＰＫＧ）を有している。ここで、装置２００Ａ，２００Ｂ，２００Ｃ，２００Ｄは、それぞれ同様の機能を有し、各装置がａ−ＰＫＧ、ｂ−ＰＫＧ、ｃ−ＰＫＧ、・・・、ｐ−ＰＫＧを有している。なお、ａ−ＰＫＧ、ｂ−ＰＫＧ、ｃ−ＰＫＧ、・・・、ｐ−ＰＫＧは、複数の装置が共通に有するものであれば、全装置２００Ａ，２００Ｂ，２００Ｃ，２００Ｄが共通に有している必要は無い。また、装置２００Ａ，２００Ｂ，２００Ｃ，２００Ｄは、各パッケージが故障したときに、故障警報を故障予測装置１００ａに送信する機能を有している。
【００２６】
故障予測装置１００ａは、装置２００Ａ，２００Ｂ，２００Ｃ，２００Ｄの何れかから故障警報を受信したときに、運用情報６０（図３）に基づいて、各パッケージの故障期間を予測し、予測した故障期間と各パッケージの実稼働時間とを対比して、表示時点での故障危険度１７３を警報／故障予測表示部１５０に表示させる機能を有する。ここで、故障危険度は、例えば「高」、「中」、「低」で表示される。また、故障予測装置１００ａは、前記故障警報を受信したときに故障箇所（故障パッケージ）を明示する故障箇所表示画面１７５を警報／故障予測表示部１５０に表示させる機能を有する。ここでは、故障箇所表示画面１７５は、装置２００Ｂのｃ−ＰＫＧが故障した状態を示している。
【００２７】
図２は、本発明の第１実施形態である故障予測システムの全体構成図である。
前記したように、故障予測システム１は、故障予測装置１００ａと、複数の装置２００Ａ，２００Ｂ，２００Ｃ，２００Ｄと、警報／故障予測表示部１５０とを備えて構成されている。
故障予測装置１００ａは、制御部１０と、蓄積部５０（５０ａ）と、通信部９０とを備え、通信部９０が装置２００Ａ，２００Ｂ，２００Ｃ，２００Ｄに通信可能に接続される。
【００２８】
蓄積部５０ａは、ＨＤＤ(Hard Disk Drive)やＳＳＤ（Solid State Drive）等の不揮発性記憶部であり、運用情報６０と、予測元情報７０と、予測情報８０とを蓄積する。図３は、運用情報の例を示す図であり、図４は予測元情報の例を示す図であり、図５は、予測情報の例を示す図である。
【００２９】
運用情報６０（図３）は、装置２００Ａ，２００Ｂ，２００Ｃ，２００Ｄ毎に有し、図３では装置２００Ｃで代表している。運用情報６０は、装置６１と、パッケージＰＫＧ６２（ａ−ＰＫＧ、ｂ−ＰＫＧ、ｃ−ＰＫＧ、・・・、ｐ−ＰＫＧ）と、運用開始時期６３と、交換時期６４との項目を含んだテーブル形式の情報である。
【００３０】
例えば、装置２００Ｃは、２０１４年1月１日に運用が開始され、「ｃ−ＰＫＧ」が２０１５年１２月３１日に交換されたとする。このとき、装置２００Ｃの運用情報６０は、２０１４年1月１日の運用開始時に、ＰＫＧ６２が「ａ−ＰＫＧ」、・・・と登録され、運用開始時期６３がＰＫＧ６２欄に対応して「2014.1.1」と登録され、交換時期が「−」と登録される。次に、２０１５年１２月３１日の交換時に、装置２００Ｃの運用情報６０は、運用開始時期６３に「2014.1.1」と登録された、「ｃ−ＰＫＧ」の交換時期６４が「−」から「2015.12.31」に変更される。また、この運用情報６０は、ＰＫＧ６２欄に「ｃ−ＰＫＧ」と追記され、運用開始時期６３の欄に「2015.12.31」と追記される。
【００３１】
予測元情報７０（図４）は、ＰＫＧ７１と、稼働ＰＫＧ数７２と、故障頻度７３と、交換ＰＫＧ数７４と、交換までの稼働平均日数７５と、最小稼働日数７６と、最大稼働日数７７との項目を備えたテーブルとして蓄積部５０ａに格納されており、運用情報６０の更新に伴って、逐次更新される。なお、稼働平均日数７５と、最小稼働日数７６と、最大稼働日数７７とは、何れもパッケージ稼働日数に含まれる。
【００３２】
ＰＫＧ７１の項目は、装置２００Ａ，２００Ｂ，２００Ｃ，２００Ｄが有するパッケージの全種類が登録される。稼働ＰＫＧ数７２の項目は、装置２００Ａ，２００Ｂ，２００Ｃ，２００Ｄが有するパッケージの全稼働数を種類毎に格納する。交換ＰＫＧ数７４の項目は、交換したパッケージの数を種類毎に格納する。故障頻度７３の項目は、交換ＰＫＧ数７４を稼働ＰＫＧ数７２で除した値を格納する。つまり、故障頻度７３の値は、パッケージの種類毎の故障率を表現している。
【００３３】
交換までの稼働平均日数７５の項目は、パッケージを交換するまでの稼働日数の平均値を格納する項目である。例えば、ａ−ＰＫＧは、交換ＰＫＧ数７４が「０」の未交換状態であり、稼働平均日数７５に仮の値「０」が格納される。なお、未交換状態であるときは、交換ＰＫＧ数７４に「０」を格納することなく、例えば、「−」を格納しても構わない。また、ｂ−ＰＫＧは、交換ＰＫＧ数７４が「５」であり、交換までの稼働平均日数７５の項目は、例えば、１２００［日］が格納される。また、ｃ−ＰＫＧは、交換ＰＫＧ数７４が「２０」であり、交換までの稼働平均日数７５は、例えば、５００［日］が格納される。ｂ−ＰＫＧは、ｃ−ＰＫＧよりも交換までの稼働平均日数７５が長いので、パッケージの寿命が長いが、交換ＰＫＧ数７４が「５」であり、ｃ−ＰＫＧの「２０」よりも少ないので、数字の信頼性は少ない。
【００３４】
最小稼働日数７６の項目は、交換されたパッケージの中で、最も少ない稼働日数の値を格納する。最大稼働日数７７は、交換されたパッケージの中で、最も多い稼働日数の値が格納される。例えば、ａ−ＰＫＧは、仮の値「０」が格納され、ｂ−ＰＫＧは、最小稼働日数７６に「１０００」が格納され、最大稼働日数７７に「１５００」が格納される。また、ｃ−ＰＫＧの項目は、最小稼働日数７６に「１０」が格納され、最大稼働日数７７の項目に「１０００」が格納される。つまり、ｃ−ＰＫＧの交換ＰＫＧ数７４は、「２０」であり、ｂ−ＰＫＧの「５」よりも多く、最小稼働日数１０の初期不良が存在している。
【００３５】
予測情報８０（図５）は、故障（危険）が迫ったことを報知する基準値として設定される危険度対象稼働日数が、ＰＫＧ７１毎に、高８１、中８２、低８３の３段階でテーブルとして格納される。この危険度対象稼働日数は、交換までの稼働平均日数７５と、最小稼働日数７６と、最大稼働日数７７とに基づいて定められ、例えば、ａ−ＰＫＧは、未交換状態であるので、危険度対象稼働日数「高」、「中」、「低」の全ての項目に「∞」が格納される。
【００３６】
また、ｂ−ＰＫＧは、危険度対象稼働日数「高」の項目に、例えば、最大稼働日数７７の値「１５００」が格納され、危険度対象稼働日数「中」の項目に、例えば、交換までの稼働平均日数７５の値１２００［日］が格納され、危険度対象稼働日数「低」の項目に、例えば、最小稼働日数７６の値１０００［日］が格納される。
【００３７】
また、ｃ−ＰＫＧは、危険度対象稼働日数「高」の項目に、例えば、最大稼働日数７７の値「１０００」が格納され、危険度対象稼働日数「中」の項目に、例えば、交換までの稼働平均日数７５の値５００［日］が格納される。また、ｃ−ＰＫＧの危険度対象稼働日数「低」の項目には、例えば、最小稼働日数７６の値１０［日］が格納されるべきであるが、初期不良が起きる可能性があると考え、「０」が格納される。
【００３８】
図２の説明に戻り、制御部１０は、ＣＰＵ（Central Processing Unit）であり、アプリケーションプログラム（故障予測プログラム）を実行することにより以下の機能を実現する。つまり、制御部１０は、故障予測部１２と、装置情報受信制御部１５と、交換情報受信制御部１６と、表示制御部１９との機能を実現する。また、故障予測部１２は、予測元情報更新部１３と、故障日数予測部１４とを備える。
【００３９】
故障予測部１２は、装置２００Ａ，２００Ｂ，２００Ｃ，２００Ｄが有するパッケージ（ａ−ＰＫＧ、ｂ−ＰＫＧ、ｃ−ＰＫＧ、・・・、ｐ−ＰＫＧ）の稼働日数（交換までの稼働平均日数、最小稼働日数、最大稼働日数）を演算し、演算された複数種類の稼働日数と交換後の実稼働日数とに基づいて、故障危険度「高」、「中」、「低」を決定する。なお、この実稼働日数（パッケージ稼働日数）は、交換情報として受信するものであっても構わない。
【００４０】
予測元情報更新部１３は、運用情報６０（図３）の追記があったときに、予測元情報７０（図４）を更新する機能部である。故障日数予測部１４は、予測元情報７０に基づいて、危険度対象稼働日数を「高」、「中」、「低」の３段階で演算する。この「高」、「中」、「低」の３段階で演算された稼働日数は、故障までの日数を故障危険度に応じて予測した故障日数でもある。また、故障日数予測部１４は、パッケージの運用開始日と予測した故障日数とを加算して、故障時期を予測する。
【００４１】
装置情報受信制御部１５は、装置２００Ａ，２００Ｂ，２００Ｃ，２００Ｄから装置情報を通信部９０に受信させる。この装置情報は、自装置が有するパッケージの種類や、自装置の運用開始日等の情報を含む。また、装置情報受信制御部１５は、該装置情報を受信したときに、装置初期情報としての運用情報６０を蓄積部５０ａに投入する運用情報投入部として機能する。交換情報受信制御部１６は、装置２００Ａ，２００Ｂ，２００Ｃ，２００Ｄから交換したパッケージの種類や交換時期等の交換情報を通信部９０に逐次受信させる。また、交換情報受信制御部１６は、受信した交換情報を運用情報６０の追記情報として蓄積部５０ａに格納する故障履歴投入部として機能する。
【００４２】
表示制御部１９は、警報／故障予測表示部１５０に所定の画面を表示させる機能部である。通信部９０は、装置２００Ａ，２００Ｂ，２００Ｃ，２００Ｄと通信可能に接続されており、各装置の装置情報や各パッケージの交換情報を受信する。
【００４３】
図６は、本発明の第１実施形態である故障予測システムの全体動作を示すフローチャートであり、運用情報投入部としての装置情報受信制御部１５の動作と、故障履歴投入部としての交換情報受信制御部１６の動作と、故障予測部１２の動作と、警報／故障予測表示部１５０の動作と、蓄積部５０の動作とを時系列的に示したものである。以下、これらの時系列的な動作は、装置運用開始時と、装置Ｘのｃ−ＰＫＧが故障し交換したときと、装置Ｙでｃ−ＰＫＧが故障し交換したときとに区別して説明する。ここで、装置Ｘ，Ｙは、装置２００Ａ，２００Ｂ，２００Ｃ，２００Ｄの何れでも構わない。
【００４４】
まず、装置運用開始時においては、装置情報受信制御部１５は、装置２００Ａ，２００Ｂ，２００Ｃ，２００Ｄの何れかの運用開始時期６３（図３）を運用情報６０（図２，３）として装置毎に蓄積部５０に格納させる（Ｓ１１）。この格納により、蓄積部５０は、運用情報６０（図２，３）を登録する（Ｓ１３）。
【００４５】
装置Ｘにてｃ−ＰＫＧが故障・交換したときにおいては、交換情報受信制御部１６は、装置Ｘのｃ−ＰＫＧの交換時期６４（図３）を蓄積部５０に蓄積させ（Ｓ１５）、蓄積部５０は、該ｃ−ＰＫＧの交換時期を追記し、運用情報６０（図２，３）を更新する（Ｓ１７）。
【００４６】
運用情報更新後、故障予測部１２は、ｃ−ＰＫＧの故障予測を行う（Ｓ１９）。具体的には、故障予測部１２は、運用情報６０が更新されたときに、予測元情報７０を更新し、予測情報８０の危険度対象稼働日数における項目（図５）を更新する。そして、故障予測部１２は、パッケージ毎の稼働日数と、更新された高８１、中８２、低８３の危険度対象稼働日数とを対比して、装置毎の故障危険度「高」、「中」、「低」を求め、故障予測を行う（Ｓ１９）。例えば、３年運用したｃ−ＰＫＧは、危険度「高］であり、２年運用したｃ−ＰＫＧは、危険度「中］であると予測する。
【００４７】
装置毎の故障予測が行われたら、表示制御部１９（図２）は、装置毎の故障予測結果を警報／故障予測表示部１５０（図１，２）に表示させる。つまり、警報／故障予測表示部１５０は、故障危険度「高」、「中」、「低」を表示する（Ｓ２１）。
【００４８】
警報／故障予測表示部１５０が表示する表示画面（図１）は、故障日１６１の項目、対象装置１６２の項目、及び状況１６３の項目からなる警報画面１６０、対象装置１７１の項目、対象部位１７２の項目、及び故障危険度１７３の項目とからなる故障予測画面１７０とから構成される。この故障予測画面１７０は、警報画面１６０の更新に伴って表示される。
【００４９】
警報画面１６０は、装置２００Ａ，２００Ｂ，２００Ｃ，２００Ｄから交換情報を受信したときに、表示される画面である。この警報画面１６０は、故障日２０１６年１月１日に装置２００Ｂのｃ−ＰＫＧが故障したことを示している。
【００５０】
故障予測画面１７０は、何れかの装置のパッケージが故障したときに、他装置のパッケージの故障危険度を大、中、低で区別して表示する画面である。例えば、故障予測画面１７０は、装置２００Ａのｃ−ＰＫＧが故障危険度［高］であり、装置２００Ｃのｃ−ＰＫＧの故障危険度［中］であることが追記されている。また、故障箇所表示画面１７５は、故障予測画面１７０に重畳表示されており、装置２００Ｂのｃ−ＰＫＧが故障した状態を示している。
【００５１】
次に、装置Ｙにてｃ−ＰＫＧが故障・交換したときにおいては、交換情報受信制御部１６は、装置Ｙのｃ−ＰＫＧの故障交換時期を蓄積部５０に蓄積させ（Ｓ２３）、蓄積部５０は、該ｃ−ＰＫＧの交換時期を追記し、運用情報６０（図３）を更新する（Ｓ２５）。
運用情報更新後、故障予測部１２は、ｃ−ＰＫＧの故障予測を更新する（Ｓ２７）。具体的には、故障予測部１２は、運用情報６０が更新されたときに、予測元情報７０（図４）を更新し、予測情報８０の危険度対象稼働日数における高８１、中８２、低８３の項目（図５）を更新する。そして、故障予測部１２は、パッケージ毎の実稼働日数と、更新された高８１、中８２、低８３の項目の危険度対象稼働日数とを対比して、装置毎の故障危険度「高」、「中」、「低」を求め、故障予測を行う（Ｓ２７）。例えば、２年運用したｃ−ＰＫＧは、危険度「高」であり、１年運用したｃ−ＰＫＧは、危険度「中」であると予測する。
【００５２】
ここで、故障予測部１２は、装置Ｘが故障した場合には、例えば、３年運用で危険度「高」、２年運用で危険度「中」と予測し、装置Ｘの故障後、さらに、装置Ｙが故障したときには、例えば、２年運用で危険度「高」、１年運用で危険度「中」と予測している。
【００５３】
各装置の故障予測が行われたら、表示制御部１９（図２）は、装置毎の故障予測結果を警報／故障予測表示部１５０に表示させる。つまり、警報／故障予測表示部１５０は、故障危険度「高」、「中」、「低」（図１）を表示する（Ｓ２９）。
【００５４】
図７は、故障警報を受信したときのフローチャートであり、特に、故障予測について、詳細に記載している。
故障情報を受信すると、交換情報受信制御部１６は、蓄積部５０に格納されている運用情報６０を更新する（Ｓ３１）。そして、故障予測部１２の予測元情報更新部１３は、稼働ＰＫＧ数７２（図４）、及び交換ＰＫＧ数７４（図４）のデータを更新する（Ｓ３３）。次に、予測元情報更新部１３は、交換ＰＫＧ数７４を稼働ＰＫＧ数７２で除して、故障頻度７３（図４）を演算する（Ｓ３５）。例えば、ｂ−ＰＫＧでは、予測元情報更新部１３は、故障頻度＝交換ＰＫＧ数／稼働ＰＫＧ数＝５／３０００＝１／６００（≒0.00167）と演算する。また、ｃ−ＰＫＧでは、予測元情報更新部１３は、故障頻度＝交換ＰＫＧ数／稼働ＰＫＧ数＝２０／２０００＝０．００１と演算する。
【００５５】
次に、予測元情報更新部１３は、全ての装置２００Ａ，２００Ｂ，２００Ｃ，２００Ｄが有する交換されたパッケージの稼働平均日数７５（図４）を演算する（Ｓ３７）。さらに、予測元情報更新部１３は、最小稼働日数７６（図４）を更新し（Ｓ３９）、最大稼働日数７７（図４）を更新する（Ｓ４１）。
【００５６】
次に、故障予測部１２の故障日数予測部１４は、予測情報８０の危険度対象稼働日数の演算を行う（Ｓ４３）。故障日数予測部１４は、例えば、ｂ−ＰＫＧでは、危険度対象稼働日数：高８１（図５）の項目に最大稼働日数「１５００」を格納し、危険度対象稼働日数：中８２の項目に交換までの稼働平均日数「１０００」を格納し、危険度対象稼働日数：低８３の項目に最小稼働日数「１０００」を格納する。また、ｃ−ＰＫＧでは、故障日数予測部１４は、危険度対象稼働日数：高８１の項目に最大稼働日数１０００を格納し、危険度対象稼働日数：中８２の項目に交換までの稼働平均日数「５００」を格納する。但し、故障日数予測部１４は、危険度対象稼働日数：低８３の項目に最小稼働日数「１０」を格納することなく、「０」を格納している。
【００５７】
本実施形態の故障予測システム１は、予め装置２００Ａ，２００Ｂ，２００Ｃ，２００Ｄにおける個々のパッケージの運用開始時期を蓄積部５０ａに蓄積しておき、パッケージ交換したとき、その交換時期６４（図３）を運用情報６０として蓄積する。これにより、故障予測システム１は、当該システムにて該当パッケージの運用開始時期６３（図３）、交換までの運用期間、交換ＰＫＧ数７４（図４）から、パッケージの種類毎に故障予測を行い、当該パッケージを搭載している全ての装置の故障予測結果を警報／故障予測表示部１５０に自動で表示させ、オペレータ（監視者）に知らせることができる。なお、故障予測システム１は、当該故障予測結果とパッケージ情報を元に検知した異常情報とを結び付けて、オペレータに知らせることもできる。
【００５８】
なお、故障予測システム１は、装置２００Ａ，２００Ｂ，２００Ｃ，２００Ｄそのものの運用開始時期、交換時期を蓄積部５０ａに蓄積することにより装置自体の故障予測を警報／故障予測表示部１５０に自動で表示することもできる。オペレータは、故障予測を把握することより、ロケーションを考慮したパッケージ不良を早期に判断することができる。これにより、オペレータは、運用品質を向上させることができ、パッケージの在庫管理の適正化による的確な設備計画を行うことができるようになる。
【００５９】
（比較例）
図８は、本発明の比較例である警報システムの概要を示す図である。
警報システム２は、故障予測装置１００ｂと、複数の装置２００Ａ、２００Ｂ，２００Ｃ，２００Ｄとがネットワークを介して通信可能に接続されている。また、警報システム２は、故障予測装置１００ｂと汎用モニタである警報表示部１８０とが接続されており、複数の装置２００Ａ，２００Ｂ，２００Ｃ，２００Ｄの何れかが故障したときに警報画面１６０を表示するように構成されている。また、故障予測装置１００ｂは、制御部１０と、不揮発性記憶部としての蓄積部５０ｂと、警報受信部としての通信部９０とを備え、蓄積部５０ｂは警報情報を格納している。
【００６０】
つまり、警報システム２は、前記実施形態の故障予測システム１（図１）に比較して、蓄積部５０ｂが警報情報を格納し、運用情報６０、予測元情報７０、及び予測情報８０（図２）を格納しない点で相違する。また、警報表示部１８０は、前記実施形態の警報／故障予測表示部１５０（図１）と比較して、警報画面１６０を表示する点で共通するが、故障予測画面１７０を表示しない点で相違する。
【００６１】
警報画面１６０は、警報表示部１８０に表示される表示画面であり、故障日１６１の項目、対象装置１６２の項目、及び状況１６３の項目から構成される。警報画面１６０は、装置２００Ａ，２００Ｂ，２００Ｃ，２００Ｄから交換情報を受信したときに、表示される画面である。この警報画面１６０は、故障日２０１６年１月１日に装置２００Ｂのｃ−ＰＫＧが故障したことを示している。
【００６２】
このため、警報システム２は、装置２００Ａ，２００Ｂ，２００Ｃ，２００Ｄが有するパッケージの何れかが故障したときに故障したパッケージを示す警報画面１６０を報知するだけである。つまり、警報システム２は、故障予測画面１７０が表示されないので、故障前にパッケージを交換する等の対応を行うことができない。これに対して、前記実施形態の故障予測システム１は、故障予測画面１７０が表示されるように構成されているので、故障前にパッケージを交換する等の対応を行うことができる。
【００６３】
（変形例）
本発明は前記した実施形態に限定されるものではなく、例えば以下のような種々の変形が可能である。
（１）前記実施形態の故障予測システム１は、故障危険度「高」、「中」、「低」を故障予測結果として、警報／故障予測表示部１５０に表示させたが、パッケージの運用開始日と予測した故障日数とを加算した故障時期を故障予測結果として表示させることができる。
【００６４】
（２）前記実施形態の故障予測装置１００ａは、パッケージの種類（ａ−ＰＫＧ、ｂ−ＰＫＧ、ｃ−ＰＫＧ、・・・、ｐ−ＰＫＧ）毎に、交換情報を装置２００Ａ，２００Ｂ，２００Ｃ，２００Ｄから受信していたが、パッケージの種類は、ロット毎に交換情報を受信することができる。このときは、パッケージの種類は、ａ−ＰＫＧ、ｂ−ＰＫＧ、ｃ−ＰＫＧ、・・・、ｐ−ＰＫＧ等の機能だけでなく、ａ−ＰＫＧ(ロット××)、ａ−ＰＫＧ(ロット●●)等に複数のロットを含めて区別される。運用情報や交換情報にロット情報を加味することにより、きめ細かく、正確な予測が可能になる。
【００６５】
（３）前記実施形態の故障予測システム１は、最大稼働日数を故障危険度「高」に設定し、最小稼働日数を故障危険度「低」に設定したが、例えば、最大稼働日数から標準偏差σ（又は２σ）減少させた日数を故障危険度「高」に設定し、最小稼働日数から標準偏差σ（又は２σ）増加した日数を故障危険度「低」に設定しても構わない。
【００６６】
（４）前記実施形態の故障予測システム１は、サーバとしての故障予測装置１００ａと警報／故障予測表示部１５０とを接続させ、故障予測装置１００ａが汎用モニタとしての警報／故障予測表示部１５０に故障予測結果を表示させたが、通信部９０、及びＬＡＮを介して、クライアントとしての警報／故障予測表示部１５０に表示させても構わない。このときには、表示制御部１９（図２）は、通信部９０を制御する通信制御部としても機能する。
【符号の説明】
【００６７】
１  故障予測システム
２  警報システム
１０  制御部
１２  故障予測部
１３  予測元情報更新部
１４  故障日数予測部
１５  装置情報受信制御部（運用情報投入部）
１６  交換情報受信制御部（故障履歴投入部）
１９  表示制御部
５０，５０ａ，５０ｂ  蓄積部（不揮発性記憶部）
６０  運用情報
６３  運用開始時期
６４  交換時期
７０  予測元情報
７２  稼働ＰＫＧ数
７３  故障頻度
７４  交換ＰＫＧ数
７５  稼働平均日数
７６  最小稼働日数
７７  最大稼働日数
８０  予測情報
９０  通信部（警報受信部、運用情報受信部、交換情報受信部）
１００，１００ａ，１００ｂ  故障予測装置（サーバ）
１５０  警報／故障予測表示部（表示部）
１６０  警報画面
１７０  故障予測画面
１７３  故障危険度
１７５  故障箇所表示画面
１８０  警報表示部
２００，２００Ａ，２００Ｂ，２００Ｃ，２００Ｄ，Ｘ，Ｙ  装置（外部装置）
【図１】
2017182371.tif 000003
【図２】
2017182371.tif 000004
【図３】
2017182371.tif 000005
【図４】
2017182371.tif 000006
【図５】
2017182371.tif 000007
【図６】
2017182371.tif 000008
【図７】
2017182371.tif 000009
【図８】
2017182371.tif 000010